(57)【要約】【課題】高圧流体が流れる配管の穿孔作業時に発生して配管内部に入っている金属チップを外部に除去するために、配管内部の圧力と外部大気圧の圧力差を用いて配管内のチップを流体の一部と一緒に外部に除去することにより、簡便に、速かにチップを除去する装置を提供する。【解決手段】高圧流体が流れる配管の穿孔部分に取り付けられたフィッティング４と、前記フィッティング４に結合されたサンドイッチバルブ５とを含む配管内部のチップ除去装置であって、前記サンドイッチバルブ５の上部に取り付けられたチップ除去アダプタ１０；配管１の内部に入っているチップを除去するために、前記チップ除去アダプタ１０を貫いて配管１の内面まで伸びている吸入チューブ２０；前記吸入チューブ２０を上下に移動させる上下移動手段；チップを移送するために前記吸入チューブ２０の上端に連結された移送チューブ４０；及び前記移送チューブ４０の端部に取り付けられ、移送されて来たチップを分離するストレーナ５０を含む。【選択図】  図１
2017120128.tif 000002
【特許請求の範囲】
【請求項１】
高圧流体が流れる配管の穿孔部分に取り付けられたフィッティング（４）と、前記フィッティング（４）に結合されたサンドイッチバルブ（５）とを含む配管内部のチップ除去装置であって、
前記サンドイッチバルブ（５）の上部に取り付けられたチップ除去アダプタ（１０）；
配管（１）の内部に入っているチップを除去するために、前記チップ除去アダプタ（１０）を貫いて配管（１）の内面まで伸びている吸入チューブ（２０）；
前記吸入チューブ（２０）を上下に移動させる上下移動手段；
チップを移送するために前記吸入チューブ（２０）の上端に連結された移送チューブ（４０）；及び
前記移送チューブ（４０）の端部に取り付けられ、移送されて来たチップを分離するストレーナ（５０）を含むことを特徴とする、配管内部のチップ除去装置。
【請求項２】
前記ストレーナ（５０）の流出チューブに取り付けられた消音器（６０）、及び前記消音器（６０）の流出チューブに取り付けられた排出パイプ（７０）をさらに含むことを特徴とする、請求項１に記載の配管内部のチップ除去装置。
【請求項３】
前記吸入チューブ（２０）の下端に、配管内面の屈曲面と対応するように、屈曲した吸入プレート（２１）が結合されていることを特徴とする、請求項１に記載の配管内部のチップ除去装置。
【請求項４】
前記吸入チューブ（２０）の上下移動手段は、前記チップ除去アダプタ（１０）に取り付けられている油圧シリンダ（３０）、及び前記油圧シリンダ（３０）のロッドに結合され、前記吸入チューブ（２０）の上端が結合されているブラケット（３１）を含むことを特徴とする、請求項１に記載の配管内部のチップ除去装置。
【請求項５】
前記チップ除去アダプタ（１０）の外部にある吸入チューブ（２０）部分に、吸入チューブ（２０）の下向移動距離を制限するためのストッパ（２２）が取り付けられていることを特徴とする、請求項１に記載の配管内部のチップ除去装置。
【請求項６】
前記チップ除去アダプタ（１０）は、前記サンドイッチバルブ（５）に結合されている本体（１１）、前記本体（１１）の上部に分離可能に取り付けられ、前記吸入チューブ（２０）が貫く貫通孔が形成されている密閉板（１２）、及び前記密閉板（１２）と吸入チューブ（２０）の間を密閉するために取り付けられたパッキング（１３）を含むことを特徴とする、請求項１に記載の配管内部のチップ除去装置。
【発明の詳細な説明】
【技術分野】
【０００１】
本発明は高圧ガスが流れるガス管、地域暖房の温水管、上水道管などの各種配管の穿孔作業時に発生して配管の内部に入っている金属チップ（ｃｈｉｐ）を外部で除去するための装置に関するもので、より詳しくは配管内部の圧力と外部の大気圧の差を用いて配管内のチップをガスなどの流体の一部と一緒に外部に除去することにより、簡易に、速かにチップを除去するチップ除去装置に関するものである。
【背景技術】
【０００２】
近年、建物及び住宅では都市ガスを用いている。人が居住する地域の地中には都市ガス会社から都市ガスを供給するためのガス管が埋め込まれており、さらに地域暖房のための温水管を含めて上下水道管などの各種配管がくもの巣のように埋設されている。このような配管は、都市ガス会社のような供給源と連結されるメイン配管と、そのメイン配管からガス、温水などを必要とする住宅、建物などの使用場所まで敷設された分岐配管などがある。
【０００３】
前記のように、メイン配管に分岐配管を連結する場合又は配管の整備のために整備地域の上流の配管を遮断しなければならない場合には、その部分に必要な構成部品を取り付けて配管を穿孔しなければならない。  
【０００４】
メイン配管と分岐配管の連結装置及びその連結方法については大韓民国特許公告１９９３−００１１５８５号に詳細に開示されている。この場合、配管を穿孔するとき、配管を円形に切削するが、この時に金属チップが発生して配管の内部に入ることになる。
【０００５】
また、配管の交替、修理、分岐管の連結などの整備作業時に配管整備作業場所への流体の流れを一時遮断する装置については大韓民国実用新案登録第２０−０１５７６８３号に詳細に開示されている。この場合にも、配管を穿孔するとき、管を円形に切削することになる。この際、金属チップが発生して配管の内部に入ることになる。
【０００６】
このように配管の内部に入ったチップは、外部に除去しない場合、ガス、温水などの流体と一緒に流れて最終使用場所のノズルを塞ぐなど、色々の好ましくない作用を引き起こすため、除去することが好ましい。
【０００７】
従来、このように発生したチップを除去する装置は、大韓民国実用新案登録第２０−０１５３５９０号のように、磁石を穿孔された開口部を通じて配管の内部に接近させ、チップが磁石にくっつくようにし、その磁石及びチップを上方に引き上げる方式でチップを除去した。
【０００８】
しかし、このように磁石を用いたチップ除去装置は一回に全てのチップを除去することができない。前記のような除去作業を４〜５回繰り返さなければならない。ところで、配管の直径は１〜２メートル程度の大型の場合が多く、配管の内部には高圧の流体が流れるため、安全のための措置を行わなければならないのみならず、チップ除去装置の構成部品が重量物であるため、チップ除去１回の作業に多くの時間が必要となる。したがって、磁石を用いたチップ除去装置は多大な労動力及び時間を必要とする問題点があった。
【０００９】
【先行技術文献】
【特許文献】
【００１０】
【特許文献１】大韓民国特許公告１９９３−００１１５８５号公報
【００１１】
【特許文献２】大韓民国実用新案登録第２０−０１５７６８３号公報
【００１２】
【特許文献３】大韓民国実用新案登録第２０−０１５３５９０号公報
【発明の概要】
【発明が解決しようとする課題】
【００１３】
本発明は前記のような従来技術の問題点を解決することを意図する。一回の作業で配管の内部に入っているチップを除去することを可能とし、迅速で、簡易に配管内部のチップを除去するチップ除去装置を提供することを目的とする。
【課題を解決するための手段】
【００１４】
前記目的を達成するための本発明の配管内部のチップ除去装置は、高圧流体が流れる配管の穿孔部分に取り付けられたフィッティングと、前記フィッティングに結合されたサンドイッチバルブとを含む配管内部のチップ除去装置であって、前記サンドイッチバルブの上部に取り付けられたチップ除去アダプタ；配管の内部に入っているチップを除去するために、前記チップ除去アダブターを貫いて配管の内面まで伸びている吸入チューブ；前記吸入チューブを上下に移動させる上下移動手段；チップを移送するために前記吸入チューブの上端に連結された移送チューブ；及び前記移送チューブの端部に取り付けられ、移送されて来たチップを分離するストレーナを含むことを特徴とする。
【００１５】
本発明のチップ除去装置は、前記ストレーナの流出チューブに取り付けられた消音器、及び前記消音器の流出チューブに取り付けられた排出パイプをさらに含むことができる。
【００１６】
本発明のチップ除去装置は、前記吸入チューブの下端に、配管内面の屈曲面と対応するように、屈曲した吸入プレートが結合されることができる。
【００１７】
本発明のチップ除去装置は、前記吸入チューブの上下移動手段が、前記チップ除去アダプタに取り付けられている油圧シリンダ、及び前記油圧シリンダのロッドに結合され、前記吸入チューブの上端が結合されているブラケットを含むことができる。
【００１８】
本発明のチップ除去装置は、前記チップ除去アダプタの外部にある吸入チューブ部分に、吸入チューブの下向移動距離を制限するためのストッパが取り付けられることができる。
【００１９】
本発明のチップ除去装置は、前記チップ除去アダプタが、前記サンドイッチバルブに結合されている本体、前記本体の上部に分離可能に取り付けられ、前記吸入チューブが貫く貫通孔が形成されている密閉板、及び前記密閉板と吸入チューブの間を密閉するために取り付けられたパッキングを含むことができる。
【発明の効果】
【００２０】
本発明による配管内部のチップ除去装置は、配管内部の高圧の流体圧力と外部の大気圧の差を用いて流体の一部を外部に排出させながらチップも一緒に排出させるようにしているので、一回のチップ除去作業でチップを除去することができ、これにより迅速で、簡易に配管内部のチップを除去することができる効果を発揮する。
【図面の簡単な説明】
【００２１】
【図１】本発明の実施例による配管内部のチップ除去装置の構成を示す立断面図である。
【００２２】
【図２】本発明の実施例による配管内部のチップ除去装置の一部平面図である。
【００２３】
【図３ａ】本発明の実施例による配管内部のチップ除去装置の構成部品である吸入プレートの底面図である。
【００２４】
【図３ｂ】図３ａの吸入プレートの側面図である。
【００２５】
【図４】本発明の実施例による配管内部のチップ除去装置の構成部品であるブラケットの平面図である。
【発明を実施するための形態】
【００２６】
以下、添付図面を参照して本発明の実施例による配管内部のチップ除去装置についてより詳細に説明する。
【００２７】
図１及び図２に示したように、本発明の実施例の配管内部のチップ除去装置は、高圧流体が流れる配管１の穿孔部分に取り付けられたフィッティング（ｆｉｔｔｉｎｇ）４、前記フィッティング４に結合されたサンドイッチバルブ５、チップ除去アダプタ１０、吸入チューブ２０、前記吸入チューブ２０を上下に移動させる上下移動手段、移送チューブ４０及びストレーナ（ｓｔｒａｉｎｅｒ）５０を備えている。
【００２８】
配管１を穿孔する場合には、配管１の穿孔部分の上部と下部にそれぞれ補強板２、３を熔接し、フィッティング４とサンドイッチバルブ５を取り付け、これらは穿孔後にも除去されずにその取り付け状態を維持する。本発明の実施例のチップ除去装置はこれらの部品を用いている。
【００２９】
チップ除去アダプタ１０は、サンドイッチバルブ５の上部に取り付けられ、サンドイッチバルブ５に結合されている本体１１と、前記本体１１の上部に分離可能に取り付けられ、前記吸入チューブ２０が貫通する貫通孔が形成された密閉板１２と、前記密閉板１２と吸入チューブ２０の間を密閉するために取り付けられたパッキング１３とを含む。パッキング１３は多数のＶパッキングを積層することにより、流体が漏れないようにするとともにパッキングカバー１４によってパッキングの設置状態を堅固にしている。
【００３０】
前記密閉板１２はネジによって本体１１に堅固に結合され、その上部に油圧シリンダ３０が取り付けられる。配管１の直径によって吸入チューブ２０及び油圧シリンダ３０の大きさ及び容量を変えることができる。この場合、本体１１はそのまま用い、密閉板１２のみを他のものに取り替えて用いることができる。
【００３１】
吸入チューブ２０は、配管１の内部に入っているチップを除去するために、前記チップ除去アダブター１０を貫いて配管１の内面から外部に伸びている。吸入チューブ２０の下端には漏斗状の吸入管２０ａが連結されている。
【００３２】
そして、前記吸入管２０ａの下端には、図３ａ及び図３ｂに示したように、配管１の内面屈曲面と対応するように屈曲した吸入プレート２１が結合され、吸入プレート２１の中央には貫通孔２１ａが形成され、底面縁部には案内突条２１ｂが形成されている。案内突条２１ｂはその内部にチップを収容できるようになっており、両側中央のみ開放している。したがって、チップ除去の際、案内突条２１ｂと配管１の間の両側開放部を通じて流体が強く流入しながら内部のチップを吸入し、チューブ２０内に吸いこむようになる。
【００３３】
吸入チューブ２０には吸入チューブ２０を上下に移動させる上下移動手段が連結されている。前記上下移動手段は、前記チップ除去アダプタ１０の密閉板１２に取り付けられている油圧シリンダ３０と、前記油圧シリンダ３０のロッドに結合されているもので、前記吸入チューブ２０の上端が結合されているブラケット３１とを含んでなる。
【００３４】
油圧シリンダ３０は、吸入チューブ２０を左右揺れなしに垂直に移動させるために、三つが均一な間隔で取り付けられており、ブラケット３１は、図２及び図４に示したように、角部に油圧シリンダ３０の先端が結合され、中央に吸入チューブ２０の上端が貫通する三角形板で構成されている。
【００３５】
油圧シリンダ３０はエアシリンダに取り替えることができる。吸入チューブ２０の上下移動距離が大きいため、多段シリンダを使うことが好ましい。
【００３６】
前記チップ除去アダプタ１０の外部の吸入チューブ２０部分には、吸入チューブ２０の下向移動距離を制限するためのストッパ（ｓｔｏｐｐｅｒ）２２が取り付けられている。ストッパ２２は、吸入チューブ２０の外部に取り付けられたストッパリングを蝶形ボルトで締結して固定する形態になっている。
【００３７】
移送チューブ４０は前記吸入チューブ２０の上端に連結され、適切な場所にチップを移送するチューブである。移送チューブ４０には開閉バルブ４１、４２が取り付けられている。
【００３８】
前記移送チューブ４０の端部には、移送されて来たチップを分離するストレーナ５０が取り付けられている。ストレーナ５０はチップ（ｃｈｉｐ）を流体から分離するとともに流体は排出させるもので、チップが一定量だけ集まれば分解して廃棄処理できる。
【００３９】
前記ストレーナ５０から流体が直接空気中に流出される場合には大きな騷音が発生するため、ストレーナ５０の流出チューブに消音器６０が取り付けられている。また、前記消音器６０の流出チューブには、流体が地上より高い所で排出されるように、排出パイプ７０が取り付けられている。
【００４０】
このように構成された本発明の実施例のチップ除去装置の作用について、配管がガス管である場合を例として説明する。
【００４１】
サンドイッチバルブ５が閉まった状態で、吸入チューブ２０及び油圧シリンダ３０などが結合されたチップ除去アダブター１０をサンドイッチバルブ５に結合し、吸入チューブ２０の上端にはストレーナ５０と連結された移送チューブ４０を連結する。この状態では、吸入プレート２１がチップ除去アダブター１０の内部に位置している。
【００４２】
ついで、サンドイッチバルブ５を開放し、油圧シリンダ３０を作動させてブラケット３１及び吸入チューブ２０を徐々に下降させ、吸入プレート２１が所定の位置に到逹するとき、油圧シリンダ３０の作動を停止させる。吸入プレート２１は吸入チューブ２０と一緒に自重によってずっと下方に移動することができるが、ストッパ２２が密閉板１２に接触すれば、それ以上下降しない。この状態では、吸入プレート２１の下部、具体的に案内突条２１ｂの内部にチップを収容できる。
【００４３】
そして、移送チューブ４０の開閉バルブ４１、４２を開放すれば、配管１の内部圧力によって吸入プレート２１の底面のガスが吸入チューブ２０及び移送チューブ４０を通じてストレーナ５０側に流れる。この時、吸入プレート２１の底面下方にあるチップはガスと一緒に排出されてストレーナ５０に移送される。吸入チューブ２０の下端にある漏斗状の吸入管２０ａによってチップが大きな抵抗を受けずに吸入チューブ２０の内部に吸入される。
【００４４】
ストレーナ５０ではチップが濾され、ガスが消音器６０を通過する過程で騷音が消滅された後、後排出パイプ７０を通じて地上よりずっと高い所で排出される。流体が温水や上水である場合には、前記消音器６０又は排出パイプ７０はなくても構わない。
【００４５】
このようなチップ除去作業が完了すれば、移送チューブ４０の開閉バルブ４１、４２を閉め、油圧シリンダ３０を上昇させて吸入プレート２１をチップ除去アダブター１０の内部に引き上げ、サンドイッチバルブ５を閉めて流体の流出を完全に遮断する。その後、チップ除去アダプタ１０をサンドイッチバルブ５から除去することでチップ除去作業を完了する。
【００４６】
チップ除去作業の後、ストレーナ５０に集まったチップはストレーナ５０を分解して除去する。
【００４７】
本発明の実施例によるチップ除去装置は、配管内部の高圧の流体圧力と外部の大気圧の差を用いて、高圧の流体一部を外部に排出させながらチップも一緒に排出させるようにしているので、一回のチップ除去作業でチップを除去することができ、これにより迅速で、簡易に配管内部のチップを除去することができる。
【００４８】
本発明は前述した具体例に限定されない。実施例について詳細に説明したが、本発明の思想及び範囲内で多様に変更又は変形することができるのは本発明が属する当該技術分野の当業者には明らかなものであり、よってそのような変更又は変形は添付の特許請求範囲に属すると言える。
【符号の説明】
【００４９】
１    配管
２、３    補強板
４    フィッティング
５    サンドイッチバルブ
１０    チップ除去アダプタ
１１    本体
１２    密閉板
１３    パッキング
１４    パッキングカバー
２０    吸入チューブ
２０ａ    吸入管
２１    吸入プレート
２１ａ    貫通孔
２１ｂ    案内突条
２２    ストッパ
３０    油圧シリンダ
３１    ブラケット
４０    移送チューブ
４１、４２    開閉バルブ
５０    ストレーナ（ｓｔｒａｉｎｅｒ）
６０    消音器
７０    排出パイプ
【図１】
2017120128.tif 000003
【図２】
2017120128.tif 000004
【図３ａ】
2017120128.tif 000005
【図３ｂ】
2017120128.tif 000006
【図４】
2017120128.tif 000007